(57)【要約】【課題】  簡単な構成で写真を明瞭に見ることができる写真用立体視ビューアを提供することである。【解決手段】  ２枚の同じ寸法の矩形の前面板および後面板を重ね合わせ上縁および下縁において互いに接合することによって、或いは１枚の板を前面板および後面板が形作られるように折り曲げて板の両縁を接合することによって形成されたケース（１２）と、ケースの前面板（１２ａ）に配置された立体視用レンズ（１４）と、ケース内に収納された１又は複数枚の写真（１８）とを備え、ケースの前面板が、透明又は半透明の材料で形成されていることを特徴とする写真用立体視ビューア（１０）。【選択図】  図１
2013011721.tif 000002
【特許請求の範囲】
【請求項１】
写真を立体的に見ることができる写真用立体視ビューアであって、
２枚の同じ寸法の矩形の前面板および後面板を重ね合わせ上縁および下縁において互いに接合することによって、或いは１枚の板を前面板および後面板が形作られるように折り曲げて板の両縁を接合することによって形成されたケースと、
前記ケースの前面板に配置された立体視用レンズと、
前記ケース内に収納された１又は複数枚の写真とを備え、
前記ケースの前面板が、透明又は半透明の材料で形成されていることを特徴とする立体視ビューア。
【請求項２】
前記ケースの前面板に配置された鼻当て開口を備えていることを特徴とする請求項１に記載された立体視ビューア。
【発明の詳細な説明】
【技術分野】
【０００１】
本発明は、写真を立体的に見ることができる立体視ビューアに関する。
【背景技術】
【０００２】
写真を立体的に見ることができるように構成された種々の装置が知られている。また、板紙でケースを作り、ケースにレンズを配置するとともに、ケース内に写真カードを挿入したりケース自体に写真を配置したりして、写真を立体的に見ることができるようにした製品も市販されている。
【発明の開示】
【発明が解決しようとする課題】
【０００３】
しかしながら、写真を立体的に見ることができるように構成された従来の装置の大半は、複雑な構成を有するものである。また、上述の板紙で形成した製品は、簡単な構成ではあるが、写真に光が入りにくいため、明瞭な写真を見ることができないという不都合がある。
【０００４】
本発明は、このような状況に鑑みて開発されたものであって、簡単な構成で写真を明瞭に見ることができる写真用立体視ビューアを提供することを目的としている。
【課題を解決するための手段】
【０００５】
本願請求項１に記載の写真用立体視ビューアは、２枚の同じ寸法の矩形の前面板および後面板を重ね合わせ上縁および下縁において互いに接合することによって、或いは１枚の板を前面板および後面板が形作られるように折り曲げて板の両縁を接合することによって形成されたケースと、前記ケースの前面板に配置された立体視用レンズと、前記ケース内に収納された１又は複数枚の写真とを備え、前記ケースの前面板が、透明又は半透明の材料で形成されていることを特徴とするものである。
【０００６】
本願請求項２に記載の写真用立体視ビューアは、前記請求項１のビューアにおいて、前記ケースの前面板に配置された鼻当て開口を備えていることを特徴とするものである。
【発明の効果】
【０００７】
本発明の写真用立体視ビューアによれば、簡単な構成で写真を立体的に明瞭に見ることができる。本発明の写真用立体視ビューアは、簡単な構造のものであるため、取り扱いが容易であるとともに、低コストで提供することができる。
【発明を実施するための最良の形態】
【０００８】
次に図面を参照して、本発明の好ましい実施の形態に係る写真用立体視ビューアについて詳細に説明する。図１は、本発明の好ましい実施の形態に係る写真用立体視ビューアを示した正面図、図２は、図１の写真用立体視ビューアの構成要素を分解して示した分解斜視図である。
【０００９】
図１において全体として参照符号１０で示される本発明の好ましい実施の形態に係る写真用立体視ビューアは、ケース１２を備えている。ケース１２は、２枚の同じ寸法の矩形の板１２ａ、１２ｂ（手前側に位置する板を前面板１２ａ、向う側に位置する板を後面板１２ｂという）を重ね合わせ、上縁１２ｃおよび下縁１２ｄｃにおいて互いに接合することによって形成されている。これにより、ケース１２の両側部は開放しており、それぞれ左側開口部１２ｅおよび右側開口部１２ｆとなっている。
【００１０】
ケース１２の前面板１２ａおよび後面板１２ｂは、可撓性の薄い板材で形成されており、後述する理由のため、少なくとも前面板１２ａが透明又は半透明の透光性材料で形成されている。透光性材料としては、公知の材料を使用してよく、例えばアクリル樹脂材料などが使用される。
【００１１】
なお、前面板１２ａと後面板１２ｂを別個の材料として用意して接合することによってケース１２を形成するのではなく、１枚の薄板を前面板１２ａと後面板１２ｂが形作られるように折り曲げ、薄板の両縁を接合することによってケース１２を形成してもよい。
【００１２】
写真用立体視ビューア１０はまた、ケース１２の前面板１２ａに配置された立体視用レンズ１４を備えている。立体視用レンズ１４は、フレーム１４ａと、フレーム１４ａの一対の開口にそれぞれ装着される一対のレンズ１４ｂとを有している。立体視用レンズ１４は、ケース１２の前面板１２ａの適所に設けられた開口（図示せず）に立体視用レンズ１４を嵌め込む等することによって、取り付けられている。なお、レンズ１４ｂ自体は、公知のものが用いられる。
【００１３】
図４は、立体視用レンズ１４をケース１２の前面板１２ａに嵌め込む構成を示している。すなわち、フレーム１４ａのレンズ１４ｂが配置される個所の外側部に、前面板１２ａの厚さとほぼ同等の間隙を隔てて突起１４ａ１がそれぞれ設けられており（図４（ｂ）参照）、この間隙に前面板１２ａを嵌め込む（図４（ｃ）参照）ことにより、立体視用レンズ１４が前面板１２ａに嵌め込まれている。なお、このような構成以外の嵌め込む構成を採用してもよい。
【００１４】
好ましくは、写真用立体視ビューア１０は、ケース１２の前面板１２ａの適所に設けられた鼻当て開口１６を備えている。鼻当て開口１６は、写真用立体視ビューア１０の使用者が立体視用レンズ１４を覗いたときに鼻が当たる個所に設けるのがよい。
【００１５】
写真用立体視ビューア１０はさらに、ケース１２内に収納される写真１８を備えている。写真１８は、ケース１２内に収納できるように、ケース１２よりも僅かに小さな寸法に形成されており、ケース１２の左側開口部１２ｅ又は右側開口部１２ｆから出し入れするようになっている。図面では、１枚の写真１８がケース１２内に収納されるものとして示されているが、複数枚の写真１８をケース１２内に収納するようにしてもよい。なお、本発明における「写真」には、通常の写真以外の絵や図案なども含まれるものとする。
【００１６】
以上のように構成された写真用立体視ビューア１０の使用に際して、ケース１２内に写真１８が挿入されている状態で立体視用レンズ１４に目を近づけ、ケース１２の上縁１２ｃと下縁１２ｄを図５の矢印の方向に押す。すると、ケース１２が湾曲するので、レンズ１４ｂの焦点距離を写真１８に合わせると、透明又は半透明の前面板１２ａから光が十分に入るため、拡大した写真を明瞭に見ることができる。なお、ケース１２の上縁１２ｃと下縁１２ｄを押す力を加減することにより、焦点を所望のように調整することができる。
【００１７】
本発明は、以上の発明の実施の形態に限定されることなく、特許請求の範囲に記載された発明の範囲内で、種々の変更が可能であり、それらも本発明の範囲内に包含されるものであることはいうまでもない。
【００１８】
たとえば、前記実施の形態に示される写真用立体視ビューア１０は全体として縦長に形成されているが、図６に示されるように、写真用立体視ビューア１０を横長に形成してもよい（図６に示される例では、写真用立体視ビューア１０の使用時に使用者の鼻とケース１２が干渉するおそれが小さいことを考慮して鼻当て開口１６が設けられていないが、鼻当て開口１６を設けてもよい）。
【図面の簡単な説明】
【００１９】
【図１】本発明の好ましい実施の形態に係る写真用立体視ビューアを示した正面図である。
【図２】図１の写真用立体視ビューアの構成要素を分解して示した分解斜視図である。
【図３】図１の線３−３に沿って見た断面図である。
【図４】図４（ａ）は、立体視用レンズを示した正面図、図４（ｂ）は、図４（ａ）の線４ｂ−４ｂに沿って見た図、図４（ｃ）は、立体視用レンズがケースの前面板に嵌め込まれた状態を示した図４（ｂ）と同様な図である。
【図５】図１の写真用立体視ビューアを使用している状態を示した斜視図である。
【図６】写真用立体視ビューアの変形形態を示した正面図である。
【符号の説明】
【００２０】
１０  写真用立体視ビューア
１２  ケース
１２ａ  前面板
１２ｂ  後面板
１２ｃ  上縁
１２ｄ  下縁
１２ｅ  左側開口部
１２ｆ  右側開口部
１４  立体視用レンズ
１４ａ  フレーム
１４ｂ  レンズ
１６  鼻当て開口
１８  写真
【図１】
2013011721.tif 000003
【図２】
2013011721.tif 000004
【図３】
2013011721.tif 000005
【図４】
2013011721.tif 000006
【図５】
2013011721.tif 000007
【図６】
2013011721.tif 000008